(57)【要約】回転軸と、回転軸に取り付けられ、また、シリンダ部分状殻体要素の間に配置された扉とを備える、建物の入口及び出口を提供し得るように建物の正面側に配置される回転ドアであり、殻体要素は少なくとも１つの可動壁部分を備えている。可動壁部分は、入口と出口との間の領域への立入ることを妨害し又は許容する。
2004514810.tif 000002
【特許請求の範囲】
【請求項１】
回転軸（４）と、該回転軸（４）に取り付けられ、また、シリンダ部分状殻体要素（９、１０）の間に配置された扉（５乃至８）とを備え、該殻体要素（９、１０）が少なくとも１つの可動壁部分（１１、１２）を備える、建物の入口及び出口を提供し得るように建物の正面側に配置される回転ドアにおいて、可動壁部分（１１、１２）が入口と出口との間の領域内への立入りを妨害し又は許容することの何れかを行うことを特徴とする、回転ドア。
【請求項２】
請求項１に記載の回転ドアにおいて、可動壁部分（１１、１２）を制御し、該制御に従って、扉（５、６、７、８）の回転がそれぞれ許容又は阻止されるようにするセンサ装置が設けられることを特徴とする、回転ドア。
【請求項３】
請求項２に記載の回転ドアにおいて、センサ装置が、建物の出口までの移動が許可されない物等を検出すべく建物内部に又は回転ドア内に配置された第一のセンサを備えることを特徴とする、回転ドア。
【請求項４】
請求項２又は３に記載の回転ドアにおいて、センサ装置が、建物の入口に向けて移動する望ましくない物等、特に、武器を検出すべく建物の外部に又は回転ドア内に配置された第二のセンサを備えることを特徴とする、回転ドア。
【請求項５】
請求項１乃至４の何れか１つに記載の回転ドアにおいて、対向状態に配置された２つのシリンダ部分状殻体要素（９、１０）が存在し、殻体要素（９、１０）の各々が、第一の領域（１３）又は第二の領域（１４）を画成する可動壁部分（１１、１２）を備え、それぞれの壁部分（１１）が退いた後、建物の内部（２）から第一の領域（１３）にのみ入ることができ、また、それぞれの壁部分（１２）が退いた後、第二の領域（１４）にのみ建物の外部（３）から入ることができることを特徴とする、回転ドア。
【請求項６】
回転軸（４）と、回転軸（４）に取り付けられ、また、シリンダ部分状殻体要素（９、１０）の間に配置された扉（５、６、７、８）とを備え、該殻体要素（９、１０）が少なくとも１つの可動壁部分（１１、１２）を備える回転ドア（１）の作動方法でにおいて、少なくとも１つの壁部分（１１、１２）の第一の位置において、殻体要素（９、１０）が閉じた正面側を画成し、この閉じた正面側に沿って扉を動かして回転ドアの入口と出口との間の通路を提供することと、少なくとも１つの壁部分（１１、１２）の第二の位置において、殻体要素（９、１０）の閉じた正面側が妨害されて、回転ドアの入口と出口との間の領域に入るのを許容し、これと同時に、扉の回転が阻止されて、回転ドアの入口と出口との間の領域を通るのを阻止するようにしたこととを特徴とする、回転ドアの作動方法。
【発明の詳細な説明】
【０００１】
本発明は、回転軸と、該回転軸に取り付けられ、また、シリンダ部分状殻体要素の間に配置された扉とを備え、建物の入口及び出口を提供し得るように建物の正面側に配置される回転ドアに関する。
【０００２】
かかる回転ドアは、数１０年に亙り当該出願人が製造し且つ販売している。幾つかの用途において、殻体要素は、また、例えば、英国特許第２，０５２，６１２号及びオランダ国特許第９３０２２３５号に開示されたような、１つ又は１つ以上の可動壁部分も備えている。
【０００３】
安全上の目的のために使用されるとき、既知の回転ドアには、許可された人のみが回転ドアを介して建物に入り且つ建物から出るのを許容し得るようにカード読取り装置が設けられることがしばしばである。特に、一度に１人以上の人が回転ドアを通ることができないことを保証する働きをするセンサ手段を備えて回転ドアを更に完成させることも既知である。回転ドアの更なる既知の実施の形態には、武器検出装置が設けられている。
【０００４】
許可されていない人が回転ドアを通ろうとするとき、又は人が武器を保持しているとき、既知の回転ドアは色々な可能な介入によって応答する。第一の可能性は、扉の回転が阻止され、回転ドアを通ることは、何としても最早、不可能であるようにすることである。従来技術から既知の１つの代替的な実施の形態は、建物の内部に引戸を備えており、該引戸は、かかる状況のとき、扉が依然として回転可能ではあるが、建物内への立入りを効果的に防止するように作用するようにする。かかる引戸は、建物から出ることを効果的に阻止することが実現されるように、建物の外部に設けることもできる。
【０００５】
本発明の目的は、建物に入り又は建物から出ようとする許可されない人又は望ましくない物を保持する人を、検査権限を有する人がより正確に検査することができるように既知の回転ドアを改良することである。
【０００６】
この目的のため、本発明による回転ドアは、可動の壁部分が入口と出口との間の領域に入るのを阻止するか又は許容することの何れかを行うことを特徴としている。このようにして、それぞれの人をこの領域まで誘導し、この領域にて更なる検査を行うことができる。
【０００７】
上述した条件を効果的に充たすため、可動壁部分を制御し、その制御に従って、扉の回転が許容され又は阻止されるようにするセンサ装置が回転ドアに設けられることが望ましい。このようにして、必要な状況となったならば、検査を行うことのできる領域に実際にそれぞれの人が入ることが強制される。
【０００８】
上述した検査が不要であり、人が建物に入り又は建物から出ることができるならば、入口と出口との間の領域への立入りは閉鎖される。その他の場合、人又は人が保持する物を更に検査しなければならないとき、壁部分は、扉を閉鎖しつつ、このことを目的とする領域へ立ち入ることを許容する。必要であるならば、この領域は、広範囲な安全手段を備える形態とすることができる。また、安全管理人がこの領域に存在せず、この領域に踏み込んだ人が、警察が到着する迄、その場に拘束されるようにすることも可能である。
【０００９】
本発明による回転ドアの適正な作用は、建物の出口まで動くことを許可されない物等を検出するため、建物内部に又は回転ドア内に配置された第一のセンサを有するセンサ装置を使用することによって有益となるであろう。
【００１０】
また、センサ装置は、建物の入口まで移動する望ましくない物等、特に、武器を検出するため建物の外部に第二のセンサを備えることも望ましい。本発明による回転ドアは、許可されずに建物から出ようとする人と許可されずに建物に入ろうとする人とを簡単な方法で判別することも可能にする。
【００１１】
この目的のため、対向状態に配置された２つのシリンダ部分状の壁要素が存在し、その壁要素の各々が第一の領域又は第二の領域をそれぞれ画成する壁可動部分を備え、それぞれの壁部分が退いたとき、建物の内部から第一の領域にのみ入ることができ、それぞれの壁部分が退いた後、建物の外部から第二の領域にのみ入ることができるようにするだけでよい。
【００１２】
本発明は、また、回転軸と、回転軸に取り付けられ、また、シリンダ部分状壁要素の間に配置された扉とを備え、該シリンダ部分状壁要素が少なくとも１つの可動壁部分を備える回転ドアの作動方法であって、少なくとも１つの壁部分の第一の位置において、殻体要素が閉じた正面側を画成し、この閉じた正面側に沿って扉を動かして回転ドアの入口と出口との間の通路を提供することと、少なくとも１つの壁部分の第二の位置において、殻体要素の閉じた正面側が妨害されて、回転ドアの入口と出口との間の領域に入るのを許容し、これと同時に、扉の回転が阻止されて、回転ドアの入口と出口との間の領域を通るのを阻止するようにしたこととを特徴とする、回転ドアの作動方法にも関するものである。
【００１３】
添付図面を参照しつつ、以下に本発明について説明する。
【００１４】
図面に図示した参照番号は、同様の部品を示す。
【００１５】
先ず、図１を参照しつつ、本発明による回転ドアの色々な部品について説明する。
【００１６】
この回転ドア１は、内側部２及び外側部３を有する建物の正面側に配置される。回転ドア１には、その上に扉５〜８が取り付けられた回転軸４が設けられている。回転軸４及びその上に取り付けられた扉５〜８は、シリンダ部分状殻体要素９、１０の間に配置されている。このようにして、回転ドア１は、建物に対し入口Ａ及び出口Ｂをそれぞれ提供する。
【００１７】
本発明は、また、少なくとも１つの可動壁部分１１、１２が存在するようにした、殻体要素９、１０の実施の形態にも関する。図１には、かかる壁部分が２つ図示されている。第一の壁部分１１は、殻体要素９の一部分である一方、第二の壁部分１２は、殻体要素１０の一部分である。図面にて更に明確に図示するように、矢印Ｃの方向に移動した後、壁部分１１は、第一の領域１３へ入ることを許容し、矢印Ｄの方向に移動した後、第二の壁部分１２は、第二の領域１４に入ることを許容する。次に、本発明による回転ドア１の使用について、図２乃至図５を参照しつつ、簡明に説明する。
【００１８】
図２には、人が内部２から外部３へ向けて建物から出て、また、壁部分１１、１２が第一の領域１３及び第二の領域１４へ入るのを妨害する状態が示してある。本発明による回転ドアのかかる使用は、従来技術による回転ドアについて可能な使用に相応する。同様に、図３には、建物の外部３から建物の内部２へ進む人が示してある。この状況においても、人が許可されており、また、望ましくない物を保持しない場合、可動壁部分１１、１２は閉じたままであり、このため、第一の領域１３及び第二の領域１４へ入ることは妨害される。
【００１９】
本発明により可能とされた回転ドア１の使用状態は、最初に図４に図示されている。この図面に図示した状況において、建物から出ようとする人は、例えば、盗品を保持し又はセンサ装置（図示せず）により建物から出ることを許容し得ないと判断された少なくとも１つの物を保持している。この状況において、壁部分１１が作動されて壁部分は移動し且つ、第一の領域１３に入ることを許容する。これと同時に、同様に上記センサ装置に従って、扉５、６、７、８の更なる回転は妨害され、これにより建物の内部２から建物の外部３へ進むことを不可能にする。人が第一の領域１３に入った後、可動壁部分は第一の領域１３を閉鎖するため、選択的に最初の位置に戻り、扉５、６、７、８を解除して更なる回転を許容するようにすることができる。次に、第一の領域１３内でそれぞれの人に関する更なる取調べを行うこともできる。
【００２０】
図５には、人が、例えば、武器を保持しつつ建物の外部３から建物の内部２に入ろうとする場合が示してある。センサ装置（図示せず）がこれを検出したならば、該センサ装置は信号を発生させ、その結果、可動壁部分１２は第二の領域１４に入ることを許容する、図示した位置まで移動する。これと同時に、上記のセンサ装置からの信号は扉の５、６、７、８の回転を妨害して建物の内部２への立入りを不可能にし且つ人が第二の領域１４に入ることのみを許容する。その人が第二の領域１４に到達したならば、可動壁部分１２はその最初の位置に戻すことができ、扉５、６、７、８の回転を自由にし、回転ドア１が一般の人が使用するのに再度利用可能であるようにする。
【図面の簡単な説明】
【図１】
本発明による回転ドアの横断面頂面図である。
【図２】
盗難無しと検出された場合の本発明による回転ドアの横断面頂面図である。
【図３】
武器無しと検出された場合の本発明による回転ドアの横断面頂面図である。
【図４】
盗難有りと検出された場合の本発明による回転ドアの横断面頂面図である。
【図５】
武器有りと検出された場合の本発明による回転ドアの横断面頂面図である。
【図２】
2004514810.tif 000003
【図３】
2004514810.tif 000004
【図４】
2004514810.tif 000005
【図５】
2004514810.tif 000006
【国際公開パンフレット】
2004514810.tif 000007
2004514810.tif 000008
2004514810.tif 000009
2004514810.tif 000010
2004514810.tif 000011
2004514810.tif 000012
2004514810.tif 000013
2004514810.tif 000014
2004514810.tif 000015
2004514810.tif 000016
2004514810.tif 000017
2004514810.tif 000018
2004514810.tif 000019
2004514810.tif 000020
【手続補正書】
【提出日】平成15年1月8日(2003.1.8)
【手続補正１】
【補正対象書類名】明細書
【補正対象項目名】請求項１
【補正方法】変更
【補正の内容】
【請求項１】
回転軸（４）と、該回転軸（４）に取り付けられ、また、シリンダ部分状殻体要素（９、１０）の間に配置された扉（５乃至８）とを備え、該殻体要素（９、１０）が、入口と出口との間の領域への立入りを妨害し又は許容することの何れかを行う少なくとも１つの可動壁部分（１１、１２）を備える、建物の入口及び出口を提供し得るように建物の正面側に配置される回転ドアにおいて、可動壁部分（１１、１２）を制御するためのセンサ装置が設けられることを特徴とする、回転ドア。
【手続補正２】
【補正対象書類名】明細書
【補正対象項目名】請求項２
【補正方法】変更
【補正の内容】
【請求項２】
請求項１に記載の回転ドアにおいて、センサ装置に依存して扉（５、６、７、８）の回転がそれぞれ許容又は阻止されることを特徴とする、回転ドア。
【手続補正３】
【補正対象書類名】明細書
【補正対象項目名】請求項３
【補正方法】変更
【補正の内容】
【請求項３】
請求項２に記載の回転ドアにおいて、センサ装置が、建物の出口までの移動が許可されない物等を検出すべく建物内部に又は回転ドア内に配置された第一のセンサを備えることを特徴とする、回転ドア。
【手続補正４】
【補正対象書類名】明細書
【補正対象項目名】請求項４
【補正方法】変更
【補正の内容】
【請求項４】
請求項２又は３に記載の回転ドアにおいて、センサ装置が、建物の入口に向けて移動する望ましくない物等、特に、武器を検出すべく建物の外部に又は回転ドア内に配置された第二のセンサを備えることを特徴とする、回転ドア。
【手続補正５】
【補正対象書類名】明細書
【補正対象項目名】請求項５
【補正方法】変更
【補正の内容】
【請求項５】
請求項１乃至４の何れか１つに記載の回転ドアにおいて、対向状態に配置された２つのシリンダ部分状殻体要素（９、１０）が存在し、殻体要素（９、１０）の各々が、第一の領域（１３）又は第二の領域（１４）を画成する可動壁部分（１１、１２）を備え、それぞれの壁部分（１１）が退いた後、建物の内部（２）から第一の領域（１３）にのみ入ることができ、また、それぞれの壁部分（１２）が退いた後、第二の領域（１４）にのみ建物の外部（３）から入ることができることを特徴とする、回転ドア。
【手続補正６】
【補正対象書類名】明細書
【補正対象項目名】０００５
【補正方法】変更
【補正の内容】
【０００５】
回転軸と、該回転軸に取り付けられ、また、シリンダ部分状殻体要素の間に配置された扉とを備え、該殻体要素が、入口と出口との間の領域内への立入りを妨害し又は許容することの何れかを行う少なくとも１つの可動壁部分を備え、建物の入口及び出口を提供し得るように建物の正面側に配置するのに適した回転ドアは、英国特許第１，２２３，６９９号から既知である。この既知の回転ドアは、２つ又はより多くの移動する人の流れが交じり合わずに互いに交差しなければならないとき、特に、空港にて適用することを目的とするものである。
本発明の目的は、建物の入口及び出口を提供し得るように配置されたとき、検査権限を有する人が、建物に入り又は建物から出ようとする許可されない人又は望ましくない物を保持する人をより正確に検査することができるように既知の回転ドアを改良することである。


【手続補正７】
【補正対象書類名】明細書
【補正対象項目名】０００６
【補正方法】変更
【補正の内容】
【０００６】
この目的のため、本発明による回転ドアは、可動の壁部分を制御するセンサ装置が設けられることを特徴としている。このようにして、それぞれの人を入口と出口との間の領域まで誘導し、この領域にて更なる検査を行うことができる。


【手続補正８】
【補正対象書類名】明細書
【補正対象項目名】０００７
【補正方法】変更
【補正の内容】
【０００７】
上述した条件を効果的に充たすため、上記センサ装置にそれぞれ依存して扉の回転が許容され又は妨害されるようにすることが望ましい。このようにして、必要な状況となったならば、検査を行うことのできる領域に実際にそれぞれの人が入ることが強制される。


【手続補正９】
【補正対象書類名】明細書
【補正対象項目名】０００９
【補正方法】変更
【補正の内容】
【０００９】
本発明による回転ドアの適正な作用は、建物の出口まで動くことを許可されない物等を検出するため、建物内部に又は回転ドア内に配置された第一のセンサを有するセンサ装置を使用することにより有益となるであろう。




【国際調査報告】
2004514810.tif 000021
2004514810.tif 000022